(57)【要約】【課題】イン点とアウト点の前後のトラックに誤りパリティを記憶する場合に、テープ編集でイン点およびアウト点で下地の消し残りが再生されても、正しく誤り訂正を行うことを目的とする。【解決手段】データの書き込み時に編集制御手段１１６により編集区間の両端に位置する編集単位にフラグを付加し、データの読み込み時に編集点フラグ判定手段１１７によりフラグの有無を確認して編集区間の両端の編集単位であることを判定し編集区間の両端のトラックを無効にすることにより、イン点とアウト点の前後のトラックに誤りパリティを記憶する場合に、テープ編集でイン点およびアウト点で下地の消し残りが再生されても、正しく誤り訂正を行うことができる。【選択図】　図１
2004088671.tif 000002
【特許請求の範囲】
【請求項１】
フレームに対応する一定本数のトラック群を編集単位としてテープ上で編集作業を行うヘリカルスキャン方式のディジタルＶＴＲであって、
データの書き込み時にデータの書き込み開始編集単位の全てのトラックにイン点を示す情報を付加し、書き込み終了編集単位の全てのトラックにアウト点を示す情報を付加する編集手段と、
データの読出し時にイン点を示す情報およびアウト点を示す情報の有無を確認して書き込み開始トラックあるいは書き込み終了トラックであるか判定する判定手段と
を有し、書き込み開始トラックである場合および書き込み終了トラックである場合はそのトラックを無効にすることを特徴とするディジタルＶＴＲ。
【請求項２】
フレームに対応する一定本数のトラック群を編集単位としてテープ上で編集作業を行い編集単位の両端のトラックに誤り訂正パリティを記憶するヘリカルスキャン方式のディジタルＶＴＲであって、
データの書き込み時にデータの書き込み開始編集単位の全てのトラックにイン点を示す情報を付加し、書き込み終了編集単位の全てのトラックにアウト点を示す情報を付加する編集手段と、
データの読出し時にイン点を示す情報およびアウト点を示す情報の有無を確認して書き込み開始トラックあるいは書き込み終了トラックであるか判定する判定手段と
を有し、書き込み開始トラックである場合および書き込み終了トラックである場合はそのトラックの誤り訂正パリティを無効にすることを特徴とするディジタルＶＴＲ。
【発明の詳細な説明】
【０００１】
【発明の属する技術分野】
本発明は、ヘリカルスキャン方式の記録再生装置を用い、インサート、アセンブル等、テープ上での編集操作を行うディジタルブイ・ティー・アール（以下ディジタルＶＴＲと称す）に関する。
【０００２】
【従来の技術】
動画信号を記録再生する装置として、回転ドラムに磁気ヘッドを取り付け、テープに対して斜めにヘッドをスキャンさせて記録するいわゆるヘリカルスキャン記録ＶＴＲが一般に使われている。
【０００３】
以下、図を用いて従来のディジタルＶＴＲの記録再生について説明する。
記録する動画信号は、一定周期でサンプリングされた一連の画像からなるビデオ信号と、これに時間的に一致するオーディオ信号によって構成されている。例えば、ＮＴＳＣ方式の場合、１／３０秒周期でサンプリングされた一連の画像により動画が形成される。このとき、１／３０秒周期でサンプリングされた１枚１枚の画像のことをフレームと呼んでいる。
【０００４】
現在、一般に用いられている圧縮方式のデジタルＶＴＲでは、各フレームのビデオデータをデジタル信号処理によって一定のデータ量まで圧縮し、圧縮したデータをテープ上の一定本数のヘリカル・トラックに記録している。例えば、ＳＭＰＴＥ　３０６Ｍ規格のＤ−７フォーマットでは、ＮＴＳＣ方式の１フレームのビデオデータをテープ上の１０本のヘリカル・トラックに記録している。
【０００５】
図６はＤ−７フォーマットの概略を示すトラックパターン図であり、１フレーム分のビデオデータおよびオーディオデータが記録される１０トラックを表している。
【０００６】
図６において、各トラックは、それぞれビデオセクター６０１とオーディオセクター６０２，オーディオセクター６０３で構成されている。ビデオセクター６０１には１フレーム分のビデオデータが記録され、オーディオセクター６０２にはビデオデータに時間的に対応する１フレーム分の第１チャンネルのオーディオデータが、オーディオセクター６０３には同じく１フレーム分の第２チャンネルのオーディオデータが記録される。
【０００７】
このとき、１本のトラックの幅はできるだけ小さい方が記録密度が高く、経済的であるので良い。
現在、一般的には、磁化方向を変えることにより隣接するトラックからの妨害を防ぐ、いわゆるアジマス記録が用いられている。これにより、隣接するトラックは隙間無く記録され、テープの有効利用が図られている。この場合、再生時に一定レベル以下の誤り率を得るのに必要な有効再生トラック幅と、ちょうど同じトラック幅とすることが最もテープの利用効率が良く理想的である。
【０００８】
しかし、一度記録したテープ上のデータの一部を書き換える、いわゆるインサート編集を行う場合、シリンダの加工・組み立て精度やテープの伸縮等に起因する機械的誤差、および、ヘリカル・トラック追従制御の精度に起因するトラッキング誤差によって、書き換えたトラックが、もともと記録されていたトラックに対してずれて記録されることが起こる。このため、新たなトラック群を記録する区間の開始点（以下イン点と呼ぶ）と終了点（以下アウト点と呼ぶ）において、もともと記録されていたトラックが新たに記録されたトラックによって削られ、残ったトラックの幅が減少することがあり得るようになる。
【０００９】
図７を用いてイン点において上書きしたトラック群が前へずれた場合のトラックの削れを説明する。
図７は従来のイン点におけるトラック削れを説明するトラックパターン図である。
【００１０】
図７において、あらかじめ記録されていた下地トラック群のイン点直前の最後のトラック７０１に対して、上書き記録する上地トラック群のイン点直後の最初のトラック７０２が、前へずれて記録されており、重なった部分はトラック７０２によって上書きされるので、実質的にトラック７０１の幅が細くなる。
【００１１】
そこで、従来のＶＴＲでは、機械的精度によって決まる最大のずれが発生したときでも、残ったトラック７０１の幅が、再生に必要な幅を持つように設計されていた。例えば、図６に示したＤ−７フォーマットでは、必要最小トラック幅９μｍに対して、記録時のトラック幅は１８μｍに設定されている。
【００１２】
上述のようなインサート編集において、トラック削れが発生するのは、イン点とアウト点の前後のみである。また、上述のようなフレーム単位で一定本数のトラックに圧縮データを配置するデジタルＶＴＲの場合、ビデオデータの性質から編集はフレーム単位で行われるので、イン点およびアウト点はテープ上のフレーム単位に対応する一定本数のトラック群（以下、テープ上の編集単位と呼ぶ）の両端のトラックに限られる。
【００１３】
そこで、テープの利用効率をよりいっそう高めるために、上述のような従来のデジタルＶＴＲに対してトラック幅をさらに小さくする方式が特開２００１−２２９６２６号公報に記載の発明により提案されている。しかしながら、この方式では、トラック幅を再生に必要な最小幅まで小さくするので、イン点およびアウト点においてあらかじめ記録してある下地トラックを完全に上書きしてしまうことがあり得るという問題点があった。このことを図８を用いて詳しく説明する。
【００１４】
図８は従来のイン点における再生が不可能となるトラック削れを説明するトラックパターン図であり、イン点についてこの様子を示したものである。
図８において、あらかじめ記録してあった下地フレームの最後のトラック８０１は、新たに上書き記録する上地フレームの最初のトラック８０２によって、ほぼ全て上書きされており、再生に必要なトラック幅は残されていない。このままでは、再生時にはトラック８０１に記録されていたデータは全てエラーとなる。また、トラック８０２は、トラック８０３とアジマス方向が同じになるので、トラック８０２と８０３が同時に再生され、トラック８０２と８０３のデータがともにエラーになる。
【００１５】
このように、非常に多くのエラーが発生する問題があるので、上記従来例ではイン点およびアウト点になり得るテープ上の編集単位の両端のトラック８０１および８０２に、例えばサーチ画像データのような、通常再生においては必要のないデータを配置し、通常再生画像データは配置しないようにしている。これにより、インサート編集によってトラック８０１が削られても、有効なデータが配置されていないので、通常再生画像はエラーなく再生できる。
【００１６】
さらに、上記従来例では、イン点およびアウト点のみにおいて、上地フレームの端のトラック８０２を記録せず消去のみ行うか、あるいは、トラック８０２に単一周波数の信号を記録することによって、トラック８０３の再生時に同じアジマス方向のトラック８０２からの妨害によってエラーが発生することを防いでいる。このとき、トラック８０２に配置されるはずのデータは、記録されないが、そこには通常再生画像データが配置されていないので問題がない。
【００１７】
上記従来例では、編集によって消去される可能性のあるトラックに、例えばサーチ画像のような通常再生には必要のない補助データを記録していたが、オーディオ信号のようにこのような補助データの必要がない場合は、編集によって消去される可能性のあるトラックに、通常再生データの誤り訂正パリティの一部を記録することにより、誤り訂正能力を強化することが行われていた。
【００１８】
この場合も、上記従来例と同様に、イン点およびアウト点のみにおいて、上地の端のトラック８０２を記録せず消去のみ行うか、あるいは、トラック８０３に再生上問題のない単一周波数の信号を記録することによって、トラック８０３の再生時に同じアジマス方向のトラック８０２からの妨害によってエラーが発生することを防ぐことができる。また、この処理によって、トラック８０１および８０２に配置されている誤り訂正パリティデータは、再生時はトラックから再生されなくなるが、再生されなかったパリティデータは、誤り訂正演算においては消失シンボルとして扱われ、正しい誤り訂正を行うことができる。
【００１９】
しかしながら、イン点およびアウト点において発生するエラーは、上記のトラック削れや同アジマス妨害によるものだけではなく、下地のイン点直後および下地のアウト点直前のトラックの消し残りにより起こることがあり得る。このことを図９を用いて詳しく説明する。
【００２０】
図９は従来のイン点における消し残りを説明するトラックパターン図であり、この消し残りの問題をイン点について示したものである。
図９において、あらかじめ記録されている下地フレームのイン点直前の最後のトラック９０１に対して、新たに上書き記録する上地フレームの最初のトラック９０２が図のように後ろへずれると、本来トラック９０２によって上書きまたは消去されるはずだった、下地のイン点直後のトラック９０３が、上書きされずに残ってしまう。前述のようにトラック９０２は、上地トラック９０２が前へずれた場合の同アジマス妨害を防ぐために、単一周波数の記録または消去のみが行われているため、同じアジマス方向のトラック９０３の再生に対しても妨害を起こすことはない。
【００２１】
【発明が解決しようとする課題】
しかしながら、編集時のトラッキングずれは前方と同様に後方へも起こるので、消し残ったトラック９０３の幅は再生に十分な幅を持つことがあり得るので、トラック９０３に記録されていたデータがエラーなく再生されてしまうことがあり得る。
【００２２】
この時、前述のように、編集によって消去される可能性のあるトラック９０２，９０３に誤り訂正パリティの一部を配置している場合、トラック９０３に記録されていた誤り訂正パリティデータが、エラーなく再生され、上地フレームの再生データと合わせて誤り訂正が行われる。ところが、トラック９０３から再生されたパリティデータは、上地フレームによって上書きされた下地データから生成したものであるから、上地フレームのデータと整合性のない誤りのパリティである。そのため、整合性のないパリティを用いて誤り訂正を行うことになり、誤り訂正能力を著しく損なうという重大な問題が発生することがあった。
【００２３】
この問題点を解決するために、本発明のディジタルＶＴＲは、イン点とアウト点の前後のトラックに誤り訂正パリティを記憶する場合に、テープ編集でイン点およびアウト点で下地の消し残りが再生されても、正しく誤り訂正を行うことを目的とする。
【００２４】
【課題を解決するための手段】
上記目的を達成するために、本発明の請求項１記載のディジタルＶＴＲは、フレームに対応する一定本数のトラック群を編集単位としてテープ上で編集作業を行うヘリカルスキャン方式のディジタルＶＴＲであって、データの書き込み時にデータの書き込み開始編集単位の全てのトラックにイン点を示す情報を付加し、書き込み終了編集単位の全てのトラックにアウト点を示す情報を付加する編集手段と、データの読出し時にイン点を示す情報およびアウト点を示す情報の有無を確認して書き込み開始トラックあるいは書き込み終了トラックであるか判定する判定手段とを有し、書き込み開始トラックである場合および書き込み終了トラックである場合はそのトラックを無効にすることを特徴とする。
【００２５】
請求項２記載のディジタルＶＴＲは、フレームに対応する一定本数のトラック群を編集単位としてテープ上で編集作業を行い編集単位の両端のトラックに誤り訂正パリティを記憶するヘリカルスキャン方式のディジタルＶＴＲであって、データの書き込み時にデータの書き込み開始編集単位の全てのトラックにイン点を示す情報を付加し、書き込み終了編集単位の全てのトラックにアウト点を示す情報を付加する編集手段と、データの読出し時にイン点を示す情報およびアウト点を示す情報の有無を確認して書き込み開始トラックあるいは書き込み終了トラックであるか判定する判定手段とを有し、書き込み開始トラックである場合および書き込み終了トラックである場合はそのトラックの誤り訂正パリティを無効にすることを特徴とする。
【００２６】
以上により、イン点とアウト点の前後のトラックに誤り訂正パリティを記憶する場合に、テープ編集でイン点およびアウト点で下地の消し残りが再生されても、正しく誤り訂正を行うことができる。
【００２７】
【発明の実施の形態】
本発明のディジタルＶＴＲでは、テープ上に記録された編集単位毎にイン点フラグ領域およびアウト点フラグ領域をとり、編集時の連続する上書き記録領域の開始点（イン点）と終了点（アウト点）を示す情報を記録することにより、再生時にはイン点フラグ領域およびアウト点フラグ領域からの再生データをもとに、イン点およびアウト点を知ることができる。したがって、イン点の場合には無効な下地データが再生されている可能性がある編集単位の最初のトラックに配置されている誤り訂正パリティを、アウト点の場合には無効な下地データが再生されている可能性がある編集単位の最後のトラックに配置されている誤り訂正パリティを、実際の再生状態に関わらず消失として処理することができる。
【００２８】
以下、図１，図２，図３，図４，図５を用いて本発明の実施の形態について詳しく説明する。
図１は本発明のディジタルＶＴＲのブロック図，図２は本発明のディジタルＶＴＲにおけるトラックパターンの概要図，図３は本発明のオーディオ誤り訂正データのデータ構造図，図４は本発明のオーディオセクターに配置されたシンクブロックを示すトラックパターン図，図５は本発明のイン点・アウト点フラグの記録位置を説明するデータ構造図である。
【００２９】
図２は、１フレーム分のデータが記録される１２トラックを表しており、各トラックには、ビデオデータを記録するビデオセクター２０１〜２１２と、第１チャンネルのオーディオデータを記録するオーディオセクター２１３〜２１８、または第２チャンネルのオーディオデータを記録するオーディオセクター２１９〜２２４が、それぞれ配置される。トラックピッチは、図６に示した従来例の１／２の９μｍに設定されている。ここで、各オーディオチャンネルの１フレーム分のデータが記録されるそれぞれのオーディオセクター２１３〜２１８および２１９〜２２４が、オーディオにおける編集単位となる。
【００３０】
前述のように、通常再生画像を構成するビデオデータは、ビデオセクター２０２〜２１１の１０トラックにわたって配置され、両端のビデオセクター２０１，２１２にはサーチ画像データが配置される。また、第１のオーディオチャンネルにおいては全てのオーディオデータとアウター訂正符号パリティデータの主要部分がオーディオセクター２１４〜２１７に配置され、アウター訂正符号パリティデータの残りの部分がオーディオセクター２１３および２１８に配置される。第２のオーディオチャンネルにおいては全てのオーディオデータとアウター訂正符号パリティデータの主要部分がオーディオセクター２２０〜２２３に配置され、アウター訂正符号パリティデータの残りの部分がオーディオセクター２１９および２２４に配置される。
【００３１】
第１のオーディオチャンネルにおける誤り訂正符号は、オーディオセクター２１３，２１５，２１７のプラスアジマスの３つのセクターと、オーディオセクター２１４，２１６，２１８のマイナスアジマスの３つのセクターのそれぞれについて、図３に示したように構成する。
【００３２】
図３において、横方向の１行は１つのシンクブロックを表している。１つのシンクブロックは、シンクパターン２バイト、ＩＤデータ３バイトと、１５４バイトのオーディオデータまたはアウター訂正符号パリティ、２バイトの追加ＩＤ、１６バイトのインナー訂正符号パリティによって構成する。
【００３３】
バイト番号５〜１５８の縦方向の列は、それぞれ１２バイトのオーディオデータと、それから生成された１２バイトのアウター訂正符号パリティであり、アウター訂正符号を構成する。
【００３４】
図３の誤り訂正データ構造は、１５４バイト×１２ブロック＝７７バイト×２４ブロックのオーディオデータを含む。プラスアジマスのセクターとマイナスアジマスのセクターについて、それぞれ図３の誤り訂正データ構造があるので、１つのオーディオチャンネルについて、７７バイト×４８ブロックのオーディオデータを記録できる。
【００３５】
以下の説明のために、プラスアジマスのセクター２１３，２１５，２１７に対応する誤り訂正データ構造の番号を０番、マイナスアジマスのセクター２１４，２１６，２１８に対応する誤り訂正データ構造の番号を１番とし、各シンクブロックには図３に示した０〜２３のインナーブロック番号をつける。
【００３６】
上記のように誤り訂正符号化したシンクブロックの、オーディオセクター２１３〜２１８への配置を図４に示す。図４において、各々の欄は各オーディオセクターに配置されたシンクブロックを表し、その中に書いた２つの数字は誤り訂正データ構造番号と、インナーブロック番号を表している。例えば、オーディオセクター２１５の最初（一番下）のシンクブロックには、誤り訂正データ構造番号０のインナーブロック番号０のシンクブロックが配置されることを表している。
【００３７】
図４に示したように、プラスアジマスのオーディオセクター２１３，２１５，２１７については、誤り訂正データ構造番号０のオーディオデータを含むインナーブロック番号０〜１１のシンクブロックを、６ブロックづつに分けてオーディオセクター２１５，２１７に配置し、アウター訂正符号パリティを含むインナーブロック番号１２〜２３のシンクブロックを、３ブロックづつに分けてオーディオセクター２１５，２１７に配置し、残りのアウター訂正符号パリティを含む６ブロックをオーディオセクター２１３に配置する。
【００３８】
また、マイナスアジマスのオーディオセクター２１４，２１６，２１８については、誤り訂正データ構造番号１のオーディオデータを含むインナーブロック番号０〜１１のシンクブロックを、６ブロックづつに分けてオーディオセクター２１４，２１６に配置し、アウター訂正符号パリティを含むインナーブロック番号１２〜２３のシンクブロックを、３ブロックづつに分けてオーディオセクター２１４，２１６に配置し、残りのアウター訂正符号パリティを含む６ブロックをオーディオセクター２１８に配置する。
【００３９】
このように配置することにより、第１のオーディオチャンネルのみをインサートしたときに欠落する恐れのあるオーディオセクター２１３と２１８には、オーディオデータを含むブロックは配置されていないので、誤り訂正後の補間処理においてオーディオデータを補間する確率を減らすことができる。
【００４０】
第２のオーディオチャンネルにおけるデータ配置についても、同様に２つの誤り訂正データ構造を構成し、第１のオーディオチャンネルと同様にオーディオセクター２１９〜２２４に配置する。第１のオーディオチャンネルにおけるオーディオセクター２１３，２１４，２１５，２１６，２１７，２１８が、それぞれ第２のオーディオチャンネルにおけるオーディオセクター２１９，２２０，２２１，２２２，２２３，２２４に対応する。
【００４１】
このとき、図３における追加ＩＤの２バイト（バイト番号１５９，１６０）のうち、バイト番号１５９のビット１，ビット０の２ビットを使って、イン点フラグおよびアウト点フラグを記録する。図５は、バイト１５９の内容を示すものであり、ビット１にはオーディオのイン点を示すフラグＥ１を、ビット０にはオーディオのアウト点を示すフラグＥ０を記録する。
【００４２】
イン点フラグＥ１およびアウト点フラグＥ０に記録する値は次のように決める。
まず、編集ではない通常の記録においては、全てのセクターが連続的に記録されるので、フラグＥ１およびＥ０に”０”を設定して記録する。
【００４３】
次に、各オーディオチャンネルの１フレーム分のオーディオセクター群（編集単位）において、そのオーディオセクター群を上書き記録するとき、当該オーディオセクター群のテープ上の記録位置に対して、テープ長手方向で前側に存在するオーディオセクターも同時に記録するとき、当該オーディオセクター群に含まれる全てのオーディオシンクブロックのフラグＥ１に”０”を、また前側のオーディオセクターを同時に記録しないとき、フラグＥ１に”１”を設定して記録する。
【００４４】
最後に、各オーディオチャンネルの１フレーム分のオーディオセクター群（編集単位）において、そのオーディオセクター群を上書き記録するとき、当該オーディオセクター群のテープ上の記録位置に対して、テープ長手方向で後ろ側に存在するオーディオセクターも同時に記録するとき、当該オーディオセクター群に含まれる全てのオーディオシンクブロックのフラグＥ０に”０”を、また後ろ側のオーディオセクターを同時に記録しないとき、フラグＥ０に”１”を設定して記録する。
【００４５】
例えば図２に示したオーディオセクター配置では、第１のオーディオチャンネルのみを上書き記録し、第２のオーディオチャンネルは上書き記録しない場合には、オーディオセクター群２１３〜２１８に対して前側のセクターも後ろ側のセクター２１９も第２のオーディオチャンネルのセクターであり、オーディオセクター群２１３〜２１８と同時に記録しないので、オーディオセクター群２１３〜２１８に含まれる全てのオーディオシンクブロックのフラグＥ１，Ｅ０をどちらも”１”に設定して記録する。また、このとき編集単位の両端のトラックにあるオーディオセクター２１３，２１８は実際には、記録されず消去するかまたは単一周波数の信号を記録する。
【００４６】
第２のオーディオチャンネルのみを上書きする場合も同様に、フラグＥ１，Ｅ０をともに”１”に設定して記録し、オーディオセクター２１９，２２４は記録しない。
【００４７】
また、例えば第１のオーディオチャンネルと第２のオーディオチャンネルの両方を上書き記録する場合には、上書き記録する区間の最初の１フレームの第１のオーディオチャンネルが含まれるオーディオセクター群に対して、その前側のオーディオセクターは上書き記録区間外で記録されず、また後ろ側のオーディオセクターは同時に記録する第２のオーディオチャンネルのセクターであるから、このオーディオセクター群に記録するオーディオシンクブロックのフラグＥ１を”１”に、Ｅ０を”０”に設定して記録する。このとき一番最初のオーディオセクターは実際には記録されず、消去するかまたは単一周波数の信号に置き換えられる。また、上書き記録する区間の最後の１フレームの第２のオーディオチャンネルが含まれるオーディオセクター群に対して、その後ろ側のオーディオセクターは上書き記録区間外で記録されず、また前側のオーディオセクターは同時に記録する第１のオーディオチャンネルのセクターであるから、このオーディオセクター群に記録するオーディオシンクブロックのフラグＥ１を”０”に、Ｅ０を”１”に設定して記録する。このとき一番最後のオーディオセクターは実際には記録されず、消去するかまたは単一周波数の信号に置き換えられる。さらに、これら上書き記録する区間の最初と最後の１フレーム以外の中間のフレームでは、全てのオーディオセクターが連続して記録されるので、フラグＥ１，Ｅ０をどちらも”０”にして記録する。
【００４８】
図１を用いて本発明の実施の形態におけるディジタルＶＴＲの構成を説明する。
図１において、１０１，１０２は各々入力されたオーディオ信号，ビデオ信号をＡ／Ｄ変換するＡ／Ｄ変換器、１０３はＡ／Ｄ変換器１０２より入力されたビデオデータを圧縮する圧縮手段、１０４は圧縮ビデオデータおよびオーディオデータをフレーム毎に分割し、誤り訂正データ構造に配置してアウター訂正符号化を行うアウター符号化手段、１０５はアウター訂正符号化されたデータをシンクブロック毎にインナー訂正符号化するインナー符号化手段、１０６はインナー符号化されたデータによって記録ヘッド１０７をドライブする記録アンプ、１０７は磁気テープ１０８にデータを記録する記録ヘッド、１０９は磁気テープ１０８に記録された波形を読み取る再生ヘッド、１１０は再生ヘッドからのアナログ再生波形を増幅し２値化して再生ディジタルデータを得る再生アンプ、１１１は再生されたデータをシンクブロック毎にインナー誤り訂正符号により訂正するインナー復号化手段、１１２はインナー訂正されてデータを編集単位毎に配列しアウター訂正符号により訂正を行うアウター復号化手段、１１３はアウター訂正された圧縮ビデオデータを伸長する伸長手段、１１４，１１５は各々オーディオデータおよびビデオデータをＤ／Ａ変換するＤ／Ａ変換手段、１１６は編集時にイン点およびアウト点を示すフラグデータをインナー符号化手段１０５に送る編集制御手段、１１７は再生されたシンクブロックから読み出されたイン点およびアウト点を示すフラグデータを監視することでイン点およびアウト点を判定する編集点フラグ判定手段である。
【００４９】
入力オーディオ信号およびビデオ信号は、それぞれＡ／Ｄ変換器１０１、１０２によってディジタル化され、オーディオデータ１１８、圧縮前のビデオデータ１１９が得られる。このとき、オーディオ信号は２チャネルであり、各チャンネルが並列に処理される。
【００５０】
圧縮前のビデオデータ１１９は、圧縮手段１０３によって１フレーム毎に分けて圧縮され、圧縮ビデオデータ１２０が１フレーム毎に得られる。オーディオデータ１１８の各オーディオチャンネルの１フレーム分と、１フレーム分の圧縮ビデオデータ１２０がアウター符号化手段１０４に入力され、アウター誤り訂正符号化される。
【００５１】
アウター符号化手段１０４は、各オーディオチャンネルの１フレーム分のデータを半分づつに分割し、それぞれを図３に示した誤り訂正データ構造のオーディオデータ部分に配置する。さらに、図３の同じバイト番号の列毎に配置したオーディオデータからアウター訂正符号パリティを求め、それを図３のアウターパリティ部分に配置する。
【００５２】
このようにしてアウター訂正符号化されたデータは、図３の１行毎にアウター訂正符号化手段１０４から出力され、インナー訂正符号化手段１０５に送られる。
【００５３】
インナー訂正符号化手段１０５では、送られてきたオーディオデータまたはアウターパリティデータからなるブロックに対して、シンクパターン、ＩＤデータ、追加ＩＤデータを図３に示したように付加する。さらに、ＩＤデータ、オーディオデータまたはアウターパリティデータ、追加ＩＤデータをもとにインナー訂正符号パリティを求め、これを図３のインナーパリティ部分に付加する。
【００５４】
このとき、編集制御手段１１６は、記録モードにしたがって、前述したようにオーディオ編集点フラグＥ１，Ｅ０の値を生成し、オーディオ編集点フラグ信号１２１として出力する。インナー訂正符号化手段１０５はこれを追加ＩＤの図５に示した位置に挿入する。
【００５５】
このようにシンクブロックに構成されたデータ１２２は、記録アンプ１０６、記録ヘッド１０７を通して磁気テープ１０８に記録される。
以上により、インサート記録の状態に応じたオーディオ編集点フラグＥ１、Ｅ０が各シンクブロックに記録される。
【００５６】
上記のようにしてインサート記録されたテープ１０８を再生する場合には、まず再生ヘッド１０９によって記録波形を読み取り、再生アンプ１１０によって再生ディジタルデータ１２３を得る。
【００５７】
インナー復号化手段１１１は、再生ディジタルデータ１２３からシンクパターンを検出することで、シンクブロック内のデータの配列を再現し、各シンクブロックに含まれるインナー訂正符号パリティにしたがって、ＩＤデータ、オーディオデータまたはアウターパリティデータ、追加ＩＤデータに含まれる再生誤りを訂正する。訂正されたＩＤデータ、オーディオデータまたはアウターパリティデータ、追加ＩＤデータよりなるデータ１２４はアウター復号化手段１１２へ送られる。
【００５８】
アウター復号化手段１１２は、図３に示した誤り訂正データ構造を構成するメモリを持っており、データを書き込む行アドレスを訂正されたＩＤデータにしたがって求め、その行に訂正されたオーディオデータまたはアウターパリティデータ、追加ＩＤデータを書き込む。１フレームのデータの再生が終わると、メモリには訂正されたシンクブロックのデータが全て書き込まれている。このとき、再生時のエラーにより訂正できなかったシンクブロックのデータと、同じく再生時のエラーによりシンクパターンが検出できなかったシンクブロックのデータには、そのことを示すフラグがシンクブロック毎に立てられる。アウター符号化手段１１２はこのフラグを参照することにより、フラグが立っているシンクブロックのデータを無効なものとして、誤り訂正符号理論における消失として扱う。
【００５９】
このとき、編集点フラグ判定手段１１７は、各シンク毎の追加ＩＤデータ１２５をアウター復号化手段のメモリから読み出し、それに含まれるオーディオ編集点フラグＥ１，Ｅ０を各アウター訂正符号毎に多数決処理することで、当該フレームの記録時の前後のセクターとの連続性を判定し、判定結果を制御信号１２６としてアウター復号化手段１１２に返す。
【００６０】
例えば、第１のオーディオチャンネルのプラスアジマス側のセクター２１３，２１５，２１７のアウター符号を復号する場合には、オーディオセクター２１５，２１７に含まれる１８個のシンクブロックについて、インナー訂正できて消失フラグの立っていないシンクブロックの追加ＩＤデータを読み出し、追加ＩＤのＥ１フラグが”１”になっているブロックの数がある一定の閾値を越える多数である場合、オーディオセクター２１３の一つ前のオーディオセクターは記録時には書き換えられなかったものと判定し、当該フレームはイン点であることを示す制御信号１２６をアウター復号化手段１１２に送る。当該フレームがイン点であることを示す制御信号１２６を受けたアウター復号化手段１１２は、オーディオセクター２１３に配置されていたインナーブロック番号１８〜２３のシンクブロックを、その再生状態にかかわらず強制的に消失として扱う。
【００６１】
また、第１のオーディオチャンネルのマイナスアジマス側のセクター２１４，２１６，２１８のアウター符号を復号する場合には、オーディオセクター２１４，２１６に含まれる１８個のシンクブロックについて、インナー訂正できて消失フラグの立っていないシンクブロックの追加ＩＤデータを読み出し、追加ＩＤのＥ０フラグが”１”になっているブロックの数がある一定の閾値を越える多数である場合、オーディオセクター２１８の一つ後のオーディオセクターは記録時には書き換えられなかったものと判定し、当該フレームはアウト点であることを示す制御信号１２６をアウター復号化手段１１２に送る。当該フレームがアウト点であることを示す制御信号１２６を受けたアウター復号化手段１１２は、オーディオセクター２１８に配置されていたインナーブロック番号１８〜２３のシンクブロックを、その再生状態にかかわらず強制的に消失として扱う。
【００６２】
これらの消失に対して誤り訂正符号理論に基づく消失訂正を行うことにより、アウター訂正符号の復号化が行われる。
上記のようにアウター訂正されたオーディオデータ１２７は、Ｄ／Ａ変換器１１４によってアナログ信号に変換されオーディオ出力が得られる。
【００６３】
また、アウター復号化手段１１２によって訂正された圧縮ビデオデータは、伸長手段１１３によって圧縮を解かれ、得られたビデオデータがＤ／Ａ変換器１１５によってアナログ信号に変換され、ビデオ出力が得られる。
【００６４】
以上により、イン点とアウト点の前後のトラックに誤りパリティを記憶する場合に、テープ編集でイン点およびアウト点で下地の消し残りが再生されても、正しく誤り訂正を行うことができる。
【００６５】
【発明の効果】
以上のように本発明のディジタルＶＴＲでは、データの書き込み時に編集制御手段により編集区間の両端に位置する編集単位にフラグを付加し、データの読み込み時に編集点フラグ判定手段によりフラグの有無を確認して編集区間の両端の編集単位であることを判定して編集区間の両端のトラックを無効にすることにより、イン点とアウト点の前後のトラックに誤りパリティを記憶する場合に、テープ編集でイン点およびアウト点で下地の消し残りが再生されても、正しく誤り訂正を行うことができる。
【図面の簡単な説明】
【図１】本発明のディジタルＶＴＲのブロック図
【図２】本発明のディジタルＶＴＲにおけるトラックパターンの概要図
【図３】本発明のオーディオ誤り訂正データのデータ構造図
【図４】本発明のオーディオセクターに配置されたシンクブロックを示すトラックパターン図
【図５】本発明のイン点・アウト点フラグの記録位置を説明するデータ構造図
【図６】Ｄ−７フォーマットの概略を示すトラックパターン図
【図７】従来のイン点におけるトラック削れを説明するトラックパターン図
【図８】従来のイン点における再生が不可能となるトラック削れを説明するトラックパターン図
【図９】従来のイン点における消し残りを説明するトラックパターン図
【符号の説明】
１０１　　Ａ／Ｄ変換器
１０２　　Ａ／Ｄ変換器
１０３　　圧縮手段
１０４　　アウター符号化手段
１０５　　インナー符号化手段
１０６　　記録アンプ
１０７　　記憶ヘッド
１０８　　磁気テープ
１０９　　再生ヘッド
１１０　　再生アンプ
１１１　　インナー複合化手段
１１２　　アウター複合化手段
１１３　　伸長手段
１１４　　Ｄ／Ａ変換手段
１１５　　Ｄ／Ａ変換手段
１１６　　編集制御手段
１１７　　編集点フラグ判定手段
１１８　　オーディオデータ
１１９　　ビデオデータ
１２０　　圧縮ビデオデータ
１２１　　オーディオ編集点フラグ信号
１２２　　データ
１２３　　再生ディジタルデータ
１２４　　データ
１２５　　追加ＩＤデータ
１２６　　制御信号
１２７　　オーディオデータ
２０１　　ビデオセクター
２０２　　ビデオセクター
２０３　　ビデオセクター
２０４　　ビデオセクター
２０５　　ビデオセクター
２０６　　ビデオセクター
２０７　　ビデオセクター
２０８　　ビデオセクター
２０９　　ビデオセクター
２１０　　ビデオセクター
２１１　　ビデオセクター
２１２　　ビデオセクター
２１３　　オーディオセクター
２１４　　オーディオセクター
２１５　　オーディオセクター
２１６　　オーディオセクター
２１７　　オーディオセクター
２１８　　オーディオセクター
２１９　　オーディオセクター
２２０　　オーディオセクター
２２１　　オーディオセクター
２２２　　オーディオセクター
２２３　　オーディオセクター
２２４　　オーディオセクター
６０１　　ビデオセクター
６０２　　オーディオセクター
６０３　　オーディオセクター
７０１　　トラック
７０２　　トラック
８０１　　トラック
８０２　　トラック
８０３　　トラック
９０１　　トラック
９０２　　トラック
９０３　　トラック
【図１】
2004088671.tif 000003
【図２】
2004088671.tif 000004
【図３】
2004088671.tif 000005
【図４】
2004088671.tif 000006
【図５】
2004088671.tif 000007
【図６】
2004088671.tif 000008
【図７】
2004088671.tif 000009
【図８】
2004088671.tif 000010
【図９】
2004088671.tif 000011